(57)【要約】      （修正有）【課題】肩ひものずれやバック布のずり上がりを抑制するため、肩および身体中心側に適度に圧力がかかる構造で、かつブラジャー本来の保持機能、補整機能を損なわず、身体のラインを美しく演出することに優れるブラジャーを提供する。【解決手段】バストを被覆するカップ部と、該カップ部に縫着される土台部２と、該土台部の端部より背中側へ延設されたバック部３と、カップ部とバック部とを連接する一対の肩紐５とを備えてブラジャーを形成する。また、前記バック部３はその上辺に沿って伸縮性を有するストラップ７等が設けられるとともに、前記肩紐５と前記バック部３との接合部３３の間でバック部３の上辺が凹欠し、着用時に肩紐５から前記ストラップ６にかけて以下の条件式を満たす放物曲線を形成する。ｙ＝ａＸ２．２、０．００２≦ａ≦０．００５【選択図】図２
0003176206.tif 000002
【実用新案登録請求の範囲】
【請求項１】
バストを被覆するカップ部と、該カップ部に縫着される土台部と、該土台部の端部より背中側へ延設されたバック部と、カップ部とバック部とを連接する一対の肩紐とを備えたブラジャーであって、前記バック部はその上辺に沿って伸縮性を有するストラップが設けられるとともに、前記肩紐と前記バック部との接合部の間の上辺が凹欠し、着用時に肩紐から前記ストラップにかけて以下の条件式を満たす放物曲線を形成することを特徴とするブラジャー。
ｙ＝ａＸ2.2、０．００２≦a≦０．００５
【請求項２】
着用時に前記肩紐が肩を起点に前記バック部との接合部を通過する傾斜直線とアンダーベルトとの接点の外側の傾斜角度θが５５°≦θ≦７５°の範囲で形成されていることを特徴とする請求項１に記載のブラジャー。
【請求項３】
前記ストラップおよび前記肩紐はともに伸縮性を有するとともに、前記ストラップの伸縮性は前記肩紐の伸縮性よりも大きいことを特徴とする請求項１または２のいずれかに記載のブラジャー。
【請求項４】
前記バック部の端部に係止具を設けたことを特徴とする請求項１ないし３のいずれか１項に記載のブラジャー。
【考案の詳細な説明】
【技術分野】
【０００１】
本考案は、女性用の下着であるブラジャーの肩紐ずれ落ち防止構造に関するものである。
【背景技術】
【０００２】
従来、女性用の下着であるブラジャーの一般的な形態のひとつとして、背中が開いた衣類のアンダーウェアとして着用するために肩紐の間隔を広めに取ったものが知られている。
【０００３】
これらのタイプのブラジャーは、肩紐の肩への係合部がより肩先に近くなるため、少しの運動などで肩紐が肩から外れてずれ落ちやすいなどの課題を有していた。
【０００４】
そこで、かかる課題を解決すべく、特許文献１、２には、肩紐すれ落ち防止構造として、ブラジャー本体の肩紐に支持紐を補強したものが提案されている。また、特許文献３には、略ρ型形状の肩紐が背中の中央までつながって形成されたものが開示されている。
【０００５】
しかしながら、特許文献１、２のものは、支持紐により補強することで着心地を損ない、また、外観的にもデザイン性を欠くものであった。また、特許文献３のものは、肩紐とバック布部の伸縮性の関係、バック部湾曲の形状、肩紐との接合等については特定されておらず、肩紐が外側にずれたり、バック布がずり上がる可能性があった。  
【先行技術文献】
【特許文献】
【０００６】
【特許文献１】実用新案登録第３１１００５１号
【特許文献２】実用新案登録第３１１４９９５号
【特許文献３】特開平１１−１５２６０８
【考案の概要】
【考案が解決しようとする課題】
【０００７】
そこで、本考案は、背あきの肩紐付きブラジャーであって、肩ひものずれやバック布のずり上がりを抑制するため、肩および身体中心側に適度に圧力がかかる構造で、かつブラジャー本来の保持機能、補整機能を損なわず、身体のラインを美しく演出することに優れるブラジャーを提供することをその課題とするものである。
【課題を解決するための手段】
【０００８】
本考案は、上記課題を解決するものであり、バストを被覆するカップ部と、該カップ部に縫着される土台部と、該土台部の端部より背中側へ延設されたバック部と、カップ部とバック部とを連接する一対の肩紐とを備えたブラジャーであって、前記バック部はその上辺に沿って伸縮性を有するストラップが設けられるとともに、前記肩紐と前記バック部との接合部の間の上辺が凹欠し、着用時に肩紐から前記ストラップにかけて以下の条件式を満たす放物曲線を形成することを特徴とするブラジャー。
ｙ＝ａＸ2.2、０．００２≦ａ≦０．００５
である。
【考案の効果】
【０００９】
本考案のブラジャーは、肩紐からバック部上辺に設けられたストラップへ連続する形状を特定することにより、バスト保持補整作用を妨げることなく、肩紐がずれ落ちを防止することができる。
【００１０】
また、本考案のブラジャーの肩紐とバック部上辺に設けられたストラップの伸縮性の関係について特定することにより、バック部のずり上がりを防止することができる。
【図面の簡単な説明】
【００１１】
【図１】本考案に係るブラジャーの着用状態における正面図。
【図２】本考案に係るブラジャーの着用状態における背面図。
【図３】本考案に係るブラジャーの正面図。
【考案を実施するための形態】
【００１２】
以下、本考案のブラジャーの一実施態様を、図面に基づいて具体的に説明する。なお、本考案はこれら実施態様に何ら制約されるものではない。
【００１３】
図１は本考案に係るブラジャーの着用状態における正面図、図２は同背面図、図３は本考案に係るブラジャーの正面図である。図中、１はカップ部、２は土台部、３はバック部、４はアンダーベルト、５は肩紐、６はストラップ、７はストラップ、８はストラップ、９ａ、９ｂは係止具、１１はカップ部上辺、１２はカップ部上辺、１３はカップ部下辺、２１は端部、３１はバック部上辺、３２はバック部上辺、３３は接合部、５１は長さ調整具、５２は連結具をそれぞれ示す。
【００１４】
図に示すように、本考案にかかるブラジャーは、バストを被覆するカップ部１と、カップ部１の下辺に縫着される土台部２と、土台部２の端部２１より背中側へ延設されたバック部３により胸回りを被覆すように形成され、土台部２およびバック部３の下端部には連続してアンダーベルト４が設けられている。また、カップ部１の頂部とバック部２の接合部３３とを連接する一対の肩紐５が設けられている。
【００１５】
以下、各部位について詳述する。カップ部１の内側には乳房部位を保持するパッドが設けられている（図示せず）。そして、カップ部１の下辺１３には土台部２が縫着され、上辺１１には、伸縮性を有するストラップ６が設けられている。本実施態様において、このストラップ６は、上辺１１に沿ってカップ部１の端部を下方に折り返した中に設けられている。
【００１６】
土台部２の左右の端部２１には、脇下から背後へと連続するバック部３が縫着されている。バック部３は、その上辺が接合部３３を頂部とする山型を形成し、その山型の稜線を構成する上辺３１、３２に沿って伸縮性を有するストラップ７、８がそれぞれ設けられている。かかるストラップ７、８は、ストラップ６と同様に、上辺３１と３２に沿ってバック部３の端部を下に折り返した中に設けられている。また、端部２１に縫着された側とは反対側のバック部３の端部には、着用時に互いに係止可能な係止具９ａ、９ｂが設けられている。なお、バック部３は、横方向に伸縮性を有する編地で構成することが好ましく、具体的には、ポリエステルとポリウレタンからなるパワーネット、ナイロンとポリウレタンからなる１ＷＡＹサテン編み、綿とポリウレタンからなるフライス編み等が好ましい。
【００１７】
カップ部１の頂部には、リング状の連結具５２を介して肩紐５が接合されている。肩紐５は、カップ部１から肩へと延設し、背中側でバック部３の上辺の接合部３３に接続されている。この接合部３３では、肩紐５とストラップ８が連続する態様で、肩紐５の端部がストラップ８の端部に縫着されている。
【００１８】
図２に示すように、本考案のブラジャーの着用時には、接合部３３の間の上辺３２が下方に向けて凹欠し、肩紐５からストラップ８へと連続する放物曲線を形成する。このとき、この放物曲線は、ｙ＝ａＸ2.2、０．００２≦ａ≦０．００５の条件式を満たすように形成されている。さらに、着用時に、前記肩紐５は、肩を起点に接合部３３を通過する傾斜直線とアンダーベルト４との接点の外側の傾斜角度θを形成する。このとき、傾斜角度θは、５５°≦θ≦７５°の範囲になるように形成されている。このように、放物曲線形状および肩紐の身体外側方向への傾斜角度を所定の範囲に設定することで、ストラップ８において接合部３３から放物曲線の頂点（最下点）である係止具９に向けて、徐々に横方向の力が強まり、肩紐５においてアンダーライン（水平ライン）に対し一定の傾斜角度を保ったまま背中の中央に向かって引っ張られることと相俟って、肩からのずれ落ちを効果的に防ぐことができる。なお、前記肩紐の身体外側方向への傾斜角度θが５５°未満で、前記放物曲線ｙ＝ａＸ2.2においてａが０．００２未満の場合は、肩紐が肩の傾斜角度により肩からずれ落ちる作用を及ぼすため、適切ではない。他方、前記肩紐の身体外側方向への傾斜角度θが７５°超の場合で、前記放物曲線ｙ＝ａＸ2.2においてａが０．００５超の場合、ストラップ８において横方向の力が作用せず、縦方向の力が作用し、バック部の係止具９を上方方向に押し上げ肩紐を弛ませる作用を及ぼすため、適切ではない。
【００１９】
肩紐５およびストラップ８は、ともに長手方向への伸縮性を有する弾性繊維から形成されているが、肩紐５はストラップ８に対して伸縮性が小（伸びにくい）であり、一方、ストラップ８は肩紐５に対して伸縮性が大（伸びやすい）の関係にある。このように、肩紐５に対するストラップ８の伸縮性をより大きくすることで、肩の動きによる上方方向への力に対し、肩紐５は伸びにくくなり、肩に固定される。一方、ストラップ８は伸び易いため上辺３２が伸張し、放物曲線が肩紐５の引っ張り力を吸収し、バック部３のずり上がりを抑え、元の状態へ収縮させる。なお、肩紐５、ストラップ７および８の素材はポリウレタンとナイロン、もしくは、ポリウレタンとポリエステルとの組み合わせが好ましく、それら素材の混率の違いにより伸縮性の大小を付けることができる。
【符号の説明】
【００２０】
１……カップ部
２……土台部
３……バック部
４……アンダーベルト
５……肩紐
６……ストラップ
７……ストラップ
８……ストラップ
９……係止具
１１……カップ部上辺
１２……カップ部上辺
１３……カップ部下辺
２１……端部
３１……バック部上辺
３２……バック部上辺
３３……接合部
５１……長さ調整具
５２……連結具
θ……肩紐５の傾斜角度
【図１】
0003176206.tif 000003
【図２】
0003176206.tif 000004
【図３】
0003176206.tif 000005